(57)【特許請求の範囲】
【請求項１】
表示画面上に少なくとも１つ以上のタッチキーを含むタッチキー画像を表示し、前記タッチキーが接触されたことを検出して、接触された領域に表示されたタッチキーに応じた入力を受付けるタッチパネル入力装置において、
故障時に使用可能な代替表示領域の指定を受付ける代替表示領域設定部と、
該代替表示領域に前記タッチキー画像をスクロール可能に表示する画像データスクロール表示部を有し、
前記代替表示領域設定部は、前記表示画面上で指定された第１の座標位置と第２の座標位置を特定し、前記第１の座標位置と前記第２の座標位置とを結ぶ線を対角線とする矩形領域を、前記代替表示領域として設定することを特徴とするタッチパネル入力装置。
【請求項２】
前記代替表示領域設定部は、前記表示画面上でユーザが接触した位置を前記第１の座標位置として特定し、ユーザが前記表示画面上で接触位置をスライドさせ、前記表示画面上でユーザによる接触がなくなった位置を前記第２の座標位置として特定することを特徴とする請求項１に記載のタッチパネル入力装置。
【請求項３】
前記代替表示領域設定部は、ユーザが前記表示画面上で接触位置をスライドさせている際に、前記第１の座標位置と前記スライドさせている際の接触位置を結ぶ線を対角線とする矩形領域を強調表示することを特徴とする請求項２に記載のタッチパネル入力装置。
【請求項４】
表示画面上に少なくとも１つ以上のタッチキーを含むタッチキー画像を表示し、前記タッチキーが接触されたことを検出して、接触された領域に表示されたタッチキーに応じた入力を受付けるタッチパネル入力装置において、
故障時に使用可能な代替表示領域の指定を受付ける代替表示領域設定部と、
該代替表示領域に前記タッチキー画像をスクロール可能に表示する画像データスクロール表示部を有し、
前記代替表示領域設定部は、正常時に表示される前記タッチキー画像の周辺部からのドラッグ操作によって指定された頂点の位置を特定し、該頂点と対角の位置にある前記タッチキー画像の頂点とを結ぶ線を対角線とする矩形領域を、前記代替表示領域として設定することを特徴とするタッチパネル入力装置。
【請求項５】
前記表示画面の周辺部からのドラッグ操作に応じて、前記タッチキー画像が移動表示されることを特徴とする請求項４に記載のタッチパネル入力装置。
【請求項６】
前記代替表示領域に初期に表示されるタッチキー画像は、正常時に前記表示画面に表示されるタッチキー画像の一部であることを特徴とする請求項１から５のいずれか１に記載のタッチパネル入力装置。
【請求項７】
前記代替表示領域に、前記タッチキー画像とともにスクロールバーが表示されることを特徴とする請求項１から６のいずれか１に記載のタッチパネル入力装置。
【請求項８】
請求項１から７のいずれか１に記載のタッチパネル入力装置を備えた画像形成装置。
【発明の詳細な説明】
【技術分野】
【０００１】
本発明は、タッチパネル入力装置、および、画像形成装置に関し、詳しくは、故障時の表示機能を備えたタッチパネル入力装置、および、画像形成装置に関する。
【背景技術】
【０００２】
複写機等の画像形成装置や家電機器など種々の被操作機器の操作パネルには、タッチパネル内蔵の表示装置が用いられている。そして、タッチパネルに表示したタッチキーをタッチすることにより所定の操作を行えるため、操作性がよいが、使用頻度が高いタッチキーの部分は壊れやすいという問題があった。
【０００３】
このため、例えば、特許文献１には、タッチスクリーンの障害発生時に、障害領域がキー入力有効エリアに重なる場合には、画面表示を変更し、キー入力有効エリアを、非障害部位に移動させることが開示されている。また、特許文献２には、タッチパネル釦が故障した場合には、釦のレイアウトとタッチパネルとの物理的位置との結びつきをずらすことにより、機能させたい釦をタッチパネルの故障していない領域に設定できるようにしたタッチパネル装置が開示されている。また、特許文献３には、タッチパネルが故障状態であることを検出し、故障個所と判断した位置に、選択ボタンを表示しないようにすることが開示されている。
【先行技術文献】
【特許文献】
【０００４】
【特許文献１】特開平６−９５８０２号公報
【特許文献２】特開平７−２７１４９５公報
【特許文献３】特開２００８−７０９６３号公報
【発明の概要】
【発明が解決しようとする課題】
【０００５】
タッチパネル装置は、通常、液晶表示装置等の表示装置にボタン画像またはキー画像（以下、「タッチキー」という。）を表示させ、ユーザがそのタッチキー表示位置に該当するタッチパネル上の位置を押圧したことを検出している。そして、タッチキーの表示レイアウトは、被操作機器によって種々の工夫がなされ、ユーザが使い勝手の良いレイアウトとなるように設計されている。また、ユーザにとっても、使い慣れたタッチキーのレイアウトを基に操作を行うことで、タッチ操作のミスの発生が少なくなるという利点を有している。
【０００６】
しかしながら、特許文献１〜３に開示された技術では、タッチパネルの故障時に、正常時の表示画面におけるタッチキーのレイアウトを変更することにより、故障個所にタッチキーを表示させないようにしている。したがって、ユーザは、故障時には正常時と全く異なるタッチキーのレイアウトにしたがって操作を行う必要があり、使い慣れないことから操作性が悪く、誤った操作を招くという問題があった。
【０００７】
本発明は、これらの実情に鑑みてなされたものであり、タッチパネル入力装置において、表示、入力機能が一部領域で故障した場合でも、正常時のタッチキー画像のレイアウトを変更することなく、正常時と同じタッチキー画像のレイアウト関係を維持したまま、タッチキーを表示することができるタッチパネル入力装置、及び、画像形成装置を提供することを目的とする。
【課題を解決するための手段】
【０００８】
上記課題を解決するために、本発明の第１の技術手段は、表示画面上に少なくとも１つ以上のタッチキーを含むタッチキー画像を表示し、前記タッチキーが接触されたことを検出して、接触された領域に表示されたタッチキーに応じた入力を受付けるタッチパネル入力装置において、故障時に使用可能な代替表示領域の指定を受付ける代替表示領域設定部と、該代替表示領域に前記タッチキー画像をスクロール可能に表示する画像データスクロール表示部を有し、前記代替表示領域設定部は、前記表示画面上で指定された第１の座標位置と第２の座標位置を特定し、前記第１の座標位置と前記第２の座標位置とを結ぶ線を対角線とする矩形領域を、前記代替表示領域として設定することを特徴としたものである。
【００１０】
第２の技術手段は、第１の技術手段において、前記代替表示領域設定部は、前記表示画面上でユーザが接触した位置を前記第１の座標位置として特定し、ユーザが前記表示画面上で接触位置をスライドさせ、前記表示画面上でユーザによる接触がなくなった位置を前記第２の座標位置として特定することを特徴としたものである。
【００１１】
第３の技術手段は、第２の技術手段において、前記代替表示領域設定部は、ユーザが前記表示画面上で接触位置をスライドさせている際に、前記第１の座標位置と前記スライドさせている際の接触位置を結ぶ線を対角線とする矩形領域を強調表示することを特徴としたものである。
【００１２】
第４の技術手段は、表示画面上に少なくとも１つ以上のタッチキーを含むタッチキー画像を表示し、前記タッチキーが接触されたことを検出して、接触された領域に表示されたタッチキーに応じた入力を受付けるタッチパネル入力装置において、故障時に使用可能な代替表示領域の指定を受付ける代替表示領域設定部と、該代替表示領域に前記タッチキー画像をスクロール可能に表示する画像データスクロール表示部を有し、前記代替表示領域設定部は、正常時に表示される前記タッチキー画像の周辺部からのドラッグ操作によって指定された頂点の位置を特定し、該頂点と対角の位置にある前記タッチキー画像の頂点とを結ぶ線を対角線とする矩形領域を、前記代替表示領域として設定することを特徴としたものである。
【００１３】
第５の技術手段は、第４の技術手段において、前記表示画面の周辺部からのドラッグ操作に応じて、前記タッチキー画像が移動表示されることを特徴としたものである。
【００１４】
第６の技術手段は、第１から５のいずれか１の技術手段において、前記代替表示領域に初期に表示されるタッチキー画像は、正常時に前記表示画面に表示されるタッチキー画像の一部であることを特徴としたものである。
【００１５】
第７の技術手段は、第１から６のいずれか１の技術手段において、前記代替表示領域に、前記タッチキー画像とともにスクロールバーが表示されることを特徴としたものである。
【００１６】
第８の技術手段は、第１から７のいずれか１の技術手段であるタッチパネル入力装置を
備えた画像形成装置である。
【発明の効果】
【００１７】
本発明によれば、タッチパネル入力装置の一部に故障領域があった場合、代替表示領域の指定を受付け、この代替表示領域にタッチキー画像をスクロール可能に表示することにより、正常時と同じ配列のタッチキー画像を欠損なく表示することができる。このため、故障時でも、正常時と全く同じタッチキーのレイアウトにしたがって操作を行うことができ、使い勝手を損なうことがなく、また、使い慣れないことによる操作ミスを防ぐことができる。
【図面の簡単な説明】
【００１８】
【図１】本発明の一実施形態に係るタッチパネル入力装置を備えた画像形成装置の構成図である。
【図２】本発明の一実施形態に係るタッチパネル入力装置における表示画面に表示されるタッチキー画像の例を示す図である。
【図３】図２のタッチキー画像を表示したタッチパネル入力装置における故障個所を示す図である。
【図４】代替表示領域の設定方法の一例を説明するための図である。
【図５】代替表示領域にスクロール可能にタッチキー画像を表示した際の図である。
【図６】代替表示領域にスクロール可能にタッチキー画像を表示した際の図である。
【図７】本発明の一実施形態に係るタッチパネル入力装置の処理手順を示すフローチャートである。
【図８】代替表示領域の設定方法の他の例を説明するための図である。
【図９】代替表示領域の設定方法のさらに他の例を説明するための図である。
【図１０】代替表示領域の設定方法のさらに他の例を説明するための図である。
【発明を実施するための形態】
【００１９】
以下、図面を参照しながら、本発明のタッチパネル入力装置に係る好適な実施の形態について、本発明のタッチパネル入力装置を画像形成装置に適用した場合について説明する。以下の説明において、異なる図面においても同じ符号を付した構成は同様のものであるとして、その説明を省略する場合がある。
【００２０】
（実施形態１）
図１は、本発明の一実施形態に係るタッチパネル入力装置を備えた画像形成装置の構成図である。画像形成装置１００は、制御部１１０、操作部１２０、記憶部１３０、画像読取部１４０、画像処理部１５０、印字部１６０、報知部１７０を有する。これらの構成部の中で、画像読取部１４０、画像処理部１５０、印字部１６０を除く構成部が、本発明のタッチパネル入力装置に関係している。
【００２１】
操作部１２０は、タッチパネル入力部１０と操作キー入力部１２３とを有し、タッチパネル入力部１０は、例えば、透明抵抗膜方式のタッチパネル１２１と、液晶表示部とバックライトとから成る表示部１２２とから構成され、操作キー入力部１２３は接触接点を用いたハードキーから構成される。タッチパネル入力部１０のタッチパネル１２１は、表示部１２２の表示画面とほぼ同じサイズで表示部１２２に重ねて設けられており、表示部１２２の表示画面には、画像形成装置を操作するためのＧＵＩ（グラフィカルユーザインタフェース）が表示される。そして、タッチパネル入力部１０は、表示された箇所をタッチすることで入力を受付けることを可能としており、操作キー入力部１２３とともに、受付けたユーザ操作に基づいて画像形成装置を操作するものである。
【００２２】
制御部１１０は、操作部１２０を制御するための表示制御部１１１、入力監視部１１４を有するとともに、画像形成装置１００の全体を制御している。制御部１１０は、図示しない、ＣＰＵ、ＲＯＭ、ＲＡＭを備え、ＣＰＵがＲＯＭや記憶部１３０に記憶されている各種プログラムやデータを読み出して実行することにより、各機能を実現している。
【００２３】
表示制御部１１１は、代替表示領域設定部１１２、画像データスクロール表示部１１３を有している。代替表示領域設定部１１２は、タッチパネル入力部１０の故障時にユーザ操作によって使用可能な代替表示領域の指定を受付け、代替表示領域を設定する機能を有する。画像データスクロール表示部１１３は、代替表示領域に、ユーザ操作によってタッチキー画像をスクロール可能に表示する機能を有する。また、入力監視部１１４は、操作部１２０のタッチパネル入力部１０あるいは操作キー部１２３に対してユーザ操作があったか否かを監視し、ユーザ操作に応じて、制御部１１０の表示制御部１１１あるいは図示しないその他の制御機能部に対してユーザ操作による入力内容を伝える機能を有する。
【００２４】
記憶部１３０には、表示部１２２に表示される画像データ１３４が複数記憶されており、画像形成装置を操作するためのタッチキー画像も画像データ１３４として記憶部１３０に記憶されている。また、これらの画像データを表示部１２２に表示する際の表示領域情報１３１が通常表示領域情報１３２として記憶部１３０に記憶されている。また、タッチパネル入力部１０の故障時に代替表示領域が設定された場合には、代替表示領域情報１３３が記憶部１３０に記憶される。
【００２５】
画像読取部１４０は、図示しない原稿から光学的に画像を読み取り、画像処理部１５０に読み取った画像データを出力する。画像処理部１５０では、画像読取部１４０で読み取られた画像データを、制御部１１０からの制御により印字部１６０で印刷できるように種々の画像処理を行う。印字部１６０は、図示しない給紙部、画像印字部、排紙部を有し、例えば、電子写真方式によって、画像データを記録紙に印字する。
【００２６】
図２は、本発明の一実施形態に係るタッチパネル入力装置における表示画面に表示されるタッチキー画像の例を示す図である。タッチキー画像２０は、ユーザがタッチ操作をすることによって所定の操作を受付ける、少なくとも１つ以上の操作キーとなるタッチキーを備えた操作用の画像であり、所定のレイアウトを有している。本実施形態では、タッチパネル入力部１０の表示画面１２４に表示されたタッチキー画像２０の大きさは、例えば、左下端の第３の座標位置Ｐ３（ｘ３，ｙ３）と右上端の第４の座標位置Ｐ４（ｘ４，ｙ４）を結ぶ線を対角線とする矩形領域であり、この矩形領域を正常時にタッチキー画像を表示する通常表示領域としている。そして、これらの第３の座標位置Ｐ３（ｘ３，ｙ３）と第４の座標位置Ｐ４（ｘ４，ｙ４）は、通常表示領域情報１３２として、記憶部１３０に記憶されている。
【００２７】
なお、本実施形態では、上記の例では、タッチキー画像２０の通常表示領域が表示画面１２４の大きさと等しいものとしているが、タッチキー画像の通常表示領域は表示画面１２４の大きさより小さくても構わない。また、矩形領域を特定するための対角線として、左下端の座標位置Ｐ３と右上端の座標位置Ｐ４を結ぶ線としたが、左上端の座標位置と右下端の座標位置を結ぶ線としてもよい。
【００２８】
タッチキー画面２０は、図２に示した例では、タッチキーＡ２１、タッチキーＢ２２、タッチキーＣ２３、タッチキーＤ２４、タッチキーＥ２５、タッチキーＦ２６が、所定の大きさと配列で表示されている。そして、ユーザによってタッチパネル１２１がタッチ操作（接触ないし押圧）された際に、タッチされた位置の座標が制御部１１１に取り込まれ、タッチされた位置の座標に表示されているタッチキーに応じた入力操作が実行されるようになっている。したがって、例えば、タッチキーＡ２１の表示個所がタッチされた際は、タッチキーＡ２１に割り当てられた操作が入力されることになる。
【００２９】
タッチパネル入力部１０が故障した場合は、タッチパネル入力部１０の表示部１１２にタッチキーが表示されなくなったり、表示されたタッチキーをタッチしてもタッチ位置の読み込みができなくなったりする。前者は表示部１２２の故障に起因し、後者はタッチパネル１２１の故障に起因するが、いずれにせよ、ユーザはタッチパネル入力部１０を用いた入力操作に支障をきたすことになる。
【００３０】
図３は、図２のタッチキー画像を表示したタッチパネル入力装置における故障個所を示す図であり、タッチパネル入力部１０において、故障が生じた個所を故障領域４１として示している。そして、本発明では、タッチパネル入力部１０が故障した際に、故障個所以外のタッチパネル入力部１０の代替表示領域にタッチキー画像を表示し、ユーザからのタッチ操作を受付けるようにしている。
【００３１】
図４は、故障時における代替表示領域の設定方法の一例を説明するための図である。ユーザは、タッチパネル入力部１０が故障した際に、故障領域４１を避けてタッチキー画像を表示するための代替表示領域５１を指定する。代替表示領域５１は、図４（Ａ）に示すように、例えば、表示画面１２４上で指定された第１の座標位置Ｐ１（ｘ１，ｙ１）と第２の座標位置Ｐ２（ｘ２，ｙ２）とを結ぶ線を対角線とする矩形領域として指定される。
【００３２】
この場合、表示画面１２４上でユーザがタッチパネル１２１にタッチ操作をした（接触した）位置を前記第１の座標位置Ｐ１（ｘ１，ｙ１）として特定し、ユーザが表示画面１２４上で接触位置をスライドさせ、表示画面１２４上でユーザの指が離れた位置、すなわち接触がなくなった位置を第２の座標位置Ｐ２（ｘ２，ｙ２）として特定してもよい。そして、ユーザが表示画面１２４上で接触位置をスライドさせている際に、図４（Ｂ）に示すように、第１の座標位置Ｐ１（ｘ１，ｙ１）とスライドさせている際の接触位置Ｐ’１を結ぶ線を対角線とする矩形領域を強調表示してもよい。強調表示としては、矩形領域の輪郭線を太く表示したり、矩形領域内を予め定めた色で表示したりすることができる。これにより、選択中の代替表示領域５１の位置と大きさが把握しやすくなる。
【００３３】
代替表示領域設定部１１２は、これらの操作から、代替表示領域５１の第１の座標位置Ｐ１（ｘ１，ｙ１）と第２座標位置Ｐ２（ｘ２，ｙ２）を特定し、記憶部１３０に代替表示領域情報１３３として記憶させる。なお、代替表示領域５１となる矩形領域を特定するための対角線として、代替表示領域５１の左下端の座標位置Ｐ３と右上端の座標位置Ｐ４を結ぶ線としたが、代替表示領域５１の左上端の座標位置と右下端の座標位置を特定し、これらを結ぶ線としてもよい。
【００３４】
図５、図６は、代替表示領域に縮小したタッチキー画像をスクロール可能に表示した際の図である。図５は、代替表示領域５１に最初に表示されるタッチキー画像２０を示している。この例では、正常時に表示されるタッチキー画像の一部がそのまま代替表示領域５１に表示される。そして、代替表示領域５１には、タッチキー画像とともに水平スクロールバー５１と垂直スクロールバー５２が合わせて表示される。
【００３５】
そして、タッチキー画像２０は、例えば、水平スクロールバー５１あるいは垂直スクロールバー５２のスクロールボックスをドラッグ操作したり、スクロール矢印に触れることで、所定方向にスクロールされるようになっている。また、タッチキー画像２０そのものをドラッグすることによっても、タッチキー画像２０をスクロールができるようになっている。例えば、図５で示したタッチキー画像２０を図示の方向へドラッグ操作することによって、図６で示すように、代替表示領域５１に表示されるタッチキー画像２０がスクロールされる。そして、ドラッグ操作の際、はじく操作を加えることで画面スクロールの速さが早くなるようにしてもよい。
【００３６】
なお、ユーザに対して、タッチパネル入力部が故障している旨を知らせるために、図１に示すように、報知部１７０を設け、例えば、タッチパネル入力部１０を操作する際に、タッチパネル入力部１０が故障中であることを音声でユーザに知らせたり、ランプの点滅で知らせるようにしてもよい。
【００３７】
次に、本発明のタッチパネル入力装置における処理フローについて説明する。図７は、本発明の一実施形態に係るタッチパネル入力装置の処理手順を示すフローチャートである。
【００３８】
まず、制御部１１０は、タッチパネル入力装置が故障領域指定モードに入ったかどうかを判別する（ステップＳ１０１）。故障領域指定モードは、ユーザが、操作部１２０の操作キー部１２３の所定のキーを押すか、あるいは、故障個所が関係しない場合は、タッチパネル入力部１０から所定のタッチ操作を行うことによって選択することができるようになっている。ユーザが操作部１２０から故障領域指定モードを選択した際は、入力監視部１１４は、制御部１０の表示制御部１１１に対して、故障領域指定モードを選択する操作が行われたことを通知する。
【００３９】
タッチパネル入力装置が故障領域指定モードに入っていないと判別した場合（ステップＳ１０１でＮＯの場合）、故障領域指定モードに入ったかどうかの監視を続ける。また、タッチパネル入力装置が故障領域指定モードに入ったと判別した場合（ステップＳ１０１でＹＥＳの場合）、ステップＳ１０２に移り、代替表示領域設定部１１２は、代替表示領域の始点の座標、すなわち上記第１の座標位置Ｐ１（ｘ１，ｙ１）が指定されたかどうかを判別する。
【００４０】
始点の座標が指定されていない場合（ステップＳ１０２でＮＯの場合）、始点の座標が指定されるまで待つ。また、ユーザがタッチパネル１２１にタッチして、始点の座標が指定された場合（ステップＳ１０２でＹＥＳの場合）、代替表示領域設定部１１２は、始点の座標を記憶部１３０に代替表示領域情報１３３として記憶する（ステップＳ１０３）。
【００４１】
ステップＳ１０３に続いて、ステップＳ１０４に移り、代替表示領域設定部１１２は、代替表示領域の終点の座標、すなわち上記第２の座標位置Ｐ２（ｘ２，ｙ２）が指定されたかどうかを判別する。そして、終点の座標が指定されていない場合（ステップＳ１０４でＮＯの場合）、終点の座標が指定されるまで待つ。タッチパネル１２１から指が離れた位置を終点の座標位置の指定とする場合は、接触位置をスライドさせている際に、図４（Ｂ）に示すように、始点の座標位置と指をスライドさせている際の接触位置とを結ぶ線を対角線とする矩形領域を強調表示してもよい。
【００４２】
そして、ユーザがタッチパネル１２１から指を離すことにより、終点の座標が指定された場合（ステップＳ１０４でＹＥＳの場合）、代替表示領域設定部１１２は、終点の座標を記憶部１３０に代替表示領域情報１３３として記憶させる（ステップＳ１０５）。そして、代替表示領域設定部１１２は、例えば、所定のフラグを立てることにより、代替表示領域５１を確定し（ステップＳ１０６）、代替表示領域５１が確定されたことを画像データスクロール表示部１１３に通知する。
【００４３】
なお、上記の方法では、それぞれユーザの指等がタッチパネルに触れた位置と離れた位置を検出することによって、始点と終点の座標が指定されたこととしているが、これ以外の方法によって、始点と終点の座標を指定するようにしてもよいことは勿論である。
【００４４】
次に、画像データスクロール表示部１１３は、代替表示領域５１の座標を記憶部１３０から制御部１１０に取り込み、代替表示領域５１にタッチキー画像２０をスクロール可能に表示する。（ステップＳ１０７）。さらに、代替表示領域５１に表示したタッチキー画像２０に対するスクロール操作があったか否かを判別し(ステップＳ１０８)、スクロール操作がない場合（ＮＯの場合）、スクロール操作があるまで待つ。ここで、スクロール操作があったかどうかの判別は、入力監視部１１４が操作部１２０からスクロール操作があった旨の通知を受けたかどうかで判別できる。
【００４５】
タッチキー画面２０に対するスクロール操作があった場合（ステップＳ１０８でＹＥＳの場合）、画像データスクロール表示部１１３はスクロール量と方向に応じて、タッチキー画像２０をスクロール表示させて、処理を終了する。
【００４６】
以上の例では、ユーザから、タッチパネル部１０の故障領域を避けた２点の指定を受け付け、この２点を結ぶ線を対角線とする矩形領域を代替表示領域として設定したが、以下に、代替表示領域の他の設定方法について説明する。
【００４７】
（実施形態２）
図８は、代替表示領域の設定方法の他の例を説明するための図である。図８に示す例では、正常時に表示されるタッチキー画像２０の一つの頂点である第４の座標位置Ｐ４（ｘ４，ｙ４）の近くに故障領域４１があるものとする。ユーザは、先述の方法で所定の故障領域指定モードを選択した後、第４の座標位置Ｐ４（ｘ４，ｙ４）に接触し、接触位置をスライドさせて、故障領域４１以外の第５の座標位置Ｐ５（ｘ５，ｙ５）で非接触とする操作が行われた場合、すなわち、頂点である座標位置Ｐ４（ｘ４，ｙ４）がドラッグ操作された場合、代替表示領域設定部１１２は、正常時に表示されるタッチキー画像２０の第４の座標位置Ｐ４（ｘ４，ｙ４）と対角にある頂点の位置が第３の座標位置Ｐ３（ｘ３，ｙ３）であることを特定する。そして、代替表示領域設定部１１２は、特定した第３の座標位置Ｐ３（ｘ３，ｙ３）と第５の座標位置Ｐ５（ｘ５，ｙ５）を結ぶ線を対角線とする矩形領域を代替表示領域５１として設定する。
【００４８】
そして、画像データスクロール表示部１１３は、代替表示領域５１内にタッチキー画像２０をスクロール可能に表示する。この場合、第５の座標位置Ｐ５（ｘ５，ｙ５）がドラッグ中に故障領域４１内にある場合は、タッチパネル入力部１０は第５の座標位置Ｐ５（ｘ５，ｙ５）を特定できないが、第５の座標位置Ｐ５（ｘ５，ｙ５）が故障領域４１の外にある場合は、第５の座標位置Ｐ５（ｘ５，ｙ５）を特定することができる。そして、画像データスクロール表示部１１３は、接触位置をスライドさせている期間中であって第５の座標位置Ｐ５（ｘ５，ｙ５）が特定できる場合に、代替表示領域５１にタッチキー画像２０をスクロール可能に表示してもよい。これにより、確実に代替表示領域５１を設定することができる。
【００４９】
（実施形態３）
図９は、代替表示領域の設定方法のさらに他の例を説明するための図である。実施形態３では、代替表示領域５１の設定方法は実施形態２と同様であるが、画像データスクロール表示部１１３が、代替表示領域５１にタッチキー画像２０をスクロール可能に表示する際に、タッチキー画像２０自体をドラッグした状態で代替表示領域５１に表示している。したがって、ユーザが第５の座標位置Ｐ５（ｘ５，ｙ５）で非接触とする操作を行った際に、実施形態２と実施形態３とでは、代替表示領域５１に表示されるタッチキー画像２０の個所が異なることになる。なお、実施形態３の場合も、確実に代替表示領域５１を設定することができる。
【００５０】
（実施形態４）
図１０は、代替表示領域の設定方法のさらに他の例を説明するための図である。図１０に示す例では、正常時に表示されるタッチキー画像２０の左側に故障領域４１があるものとする。ユーザは、先述の方法で所定の故障領域指定モードを選択した後、正常時に表示されるタッチキー画像２０の左辺部分に接触し、接触位置をスライドさせて、故障領域４１を避けた位置で非接触とする操作が行われた場合、すなわち、正常時に表示されるタッチキー画像２０の左辺がドラッグ操作された場合、代替表示領域設定部１１２は、タッチキー画像２０の頂点である第３の座標位置Ｐ３（ｘ３，ｙ３）が図１０に示す第６の座標位置Ｐ６（ｘ６，ｙ６）にドラッグされたことと等価であると判断する。
【００５１】
さらに、代替表示領域設定部１１２は、正常時に表示されるタッチキー画像２０の第３の座標位置Ｐ３（ｘ３，ｙ３）と対角にある頂点の位置が第４の座標位置Ｐ４（ｘ４，ｙ４）であることを特定する。そして、代替表示領域設定部１１２は、特定した第４の座標位置Ｐ４（ｘ４，ｙ４）と第６の座標位置Ｐ６（ｘ６，ｙ６）を結ぶ線を対角線とする矩形領域を代替表示領域として設定する。
【００５２】
そして、画像データスクロール表示部１１３は、代替表示領域５１内にタッチキー画像２０をスクロール可能に表示する。この場合、実施形態２と同様に、ユーザが接触位置をスライドさせている期間中であって、第６の座標位置Ｐ６（ｘ６，ｙ６）が特定できる場合に、画像データスクロール表示部１１３は、代替表示領域５１にタッチキー画像２０をスクロール可能に表示してもよい。
【符号の説明】
【００５３】
１０…タッチパネル入力部、２０…タッチキー画像、２１，２２，２３，２４，２５，２６…タッチキー、４１…故障領域、５１…代替表示領域、１００…画像形成装置、１１０…制御部、１１１…表示制御部、１１２…代替表示領域設定部、１１３…画像データスクロール表示部、１１４…入力監視部、１２０…操作部、１２１…タッチパネル、１２２…表示部、１２３…操作キー部、１２４…表示画面、１３０…記憶部、１３１…表示領域情報、１３２…通常表示領域情報、１３３…代替表示領域情報、１３４…画像データ、１４０…画像読取部、１５０…画像処理部、１６０…印字部、１７０…報知部。
【図１】
0005369216.tif 000002
【図２】
0005369216.tif 000003
【図３】
0005369216.tif 000004
【図４】
0005369216.tif 000005
【図５】
0005369216.tif 000006
【図６】
0005369216.tif 000007
【図７】
0005369216.tif 000008
【図８】
0005369216.tif 000009
【図９】
0005369216.tif 000010
【図１０】
0005369216.tif 000011